(57)【要約】【課題】テコの原理を利用してヘッド本体部を押し下げるタイプで、且つ、カバー部により吐出口が覆い隠されてしまうことを抑制しつつ、吐出口からの液だれも抑制することが可能な構造の液剤吐出容器を提供する。【解決手段】液剤吐出容器は、容器本体と、ヘッド本体部３１とノズル部４０とを含むヘッド部３０と、容器本体に装着されるとともにヘッド部３０を上下動可能に保持している装着部５２と、装着部５２に対して揺動可能に軸支部において軸支されているとともにヘッド部３０を上方から覆っているカバー部２０と、を備えている。液剤吐出容器は、カバー部２０が押下操作により軸支部を支点として装着部５２に対して揺動するのに連動してノズル部４０をヘッド本体部３１に対して相対的に前進させる前進機構を更に備えている。【選択図】図４
2017197209.tif 000002
【特許請求の範囲】
【請求項１】
液剤を貯留する容器本体と、
前記容器本体に対して相対的に押し下げられることにより吐出口から前記液剤を吐出するヘッド部と、
前記容器本体に装着されるとともに、前記ヘッド部を上下動可能に保持している装着部と、
前記装着部に対して揺動可能に軸支部において軸支されているとともに前記ヘッド部を上方から覆っているカバー部と、
を備える液剤吐出容器であって、
平面視において前記軸支部を基準として前記カバー部の揺動先端側が前方であり、
前記ヘッド部は、ヘッド本体部と、前記ヘッド本体部から前方に突出し先端部に前記吐出口が形成されているノズル部と、を含み、
当該液剤吐出容器は、前記カバー部が押下操作により前記軸支部を支点として前記装着部に対して揺動するのに連動して、前記ノズル部を前記ヘッド本体部に対して相対的に前進させる前進機構を更に備えている液剤吐出容器。
【請求項２】
前記前進機構は、
前記ノズル部の側面から水平方向成分を持つ方向に突出した状態に形成されている前進力受け突起部と、
前記カバー部に形成され、前記カバー部が押し下げられる際に前記前進力受け突起部に対して摺動しながら前記前進力受け突起部を前進させる前進力付与面と、
を含む請求項１に記載の液剤吐出容器。
【請求項３】
前記前進力付与面は、当該前進力付与面における前記前進力受け突起部との接触部と前記軸支部との距離が、前記カバー部の押し下げ量が大きくなるほど長くなる弧状に形成されている請求項２に記載の液剤吐出容器。
【請求項４】
前記ヘッド部に設けられ、前記ノズル部を進退可能に保持しているノズル保持部を更に備え、
前記ノズル部は、進退する際に前記ノズル保持部に対して摺動する請求項１から３のいずれか一項に記載の液剤吐出容器。
【請求項５】
前記ノズル保持部には、前記液剤を前記ヘッド本体部側から前記ノズル部側に供給する液剤供給孔が形成され、
前記ノズル部には、前記液剤供給孔から当該ノズル部内に前記液剤を導入させる導入孔が形成され、
前記ノズル部の進退方向での前記ノズル部と前記ノズル保持部との相対位置にかかわらず、前記液剤供給孔と前記導入孔とが相互に連通状態に維持される請求項４に記載の液剤吐出容器。
【請求項６】
前記液剤供給孔及び前記導入孔の前方と、前記液剤供給孔及び前記導入孔の後方との各々において、前記ノズル保持部の内周面と前記ノズル部の外周面とが前記ノズル部の周方向において周回状に密着している請求項５に記載の液剤吐出容器。
【請求項７】
前記ノズル保持部の後端部には、前記ノズル部が前進したときに前記ノズル部よりも後方で且つ前記ノズル保持部の内部の領域に外気を導入するための開口が形成されている請求項４から６のいずれか一項に記載の液剤吐出容器。
【請求項８】
前記カバー部の前部には、前記ノズル部を前方に突出させるスリット又は開口が形成されている請求項１から７のいずれか一項に記載の液剤吐出容器。
【請求項９】
液剤を貯留する容器本体に対して相対的に押し下げられることにより吐出口から前記液剤を吐出するヘッド部と、
前記容器本体に装着されるとともに、前記ヘッド部を上下動可能に保持している装着部と、
前記装着部に対して揺動可能に軸支部において軸支されているとともに前記ヘッド部を上方から覆っているカバー部と、
を備える液剤吐出器付きキャップであって、
平面視において前記軸支部を基準として前記カバー部の揺動先端側を前方とすると、
前記ヘッド部は、ヘッド本体部と、前記ヘッド本体部から前方に突出し先端部に前記吐出口が形成されているノズル部と、を含み、
当該液剤吐出器付きキャップは、前記カバー部が押下操作により前記軸支部を支点として前記装着部に対して揺動するのに連動して、前記ノズル部を前記ヘッド本体部に対して相対的に前進させる前進機構を更に備えている液剤吐出器付きキャップ。
【請求項１０】
請求項１から８のいずれか一項に記載の液剤吐出容器と、
前記容器本体に充填された前記液剤と、
を備える液剤吐出容器詰め品。
【発明の詳細な説明】
【技術分野】
【０００１】
本発明は、液剤吐出容器、液剤吐出器付きキャップ及び液剤吐出容器詰め品に関する。
【背景技術】
【０００２】
特許文献１には、容器本体に装着される液剤吐出器付きキャップ（液体注出ポンプ）に関し、容器本体に貯留されている液剤を吐出するためにヘッド部を押し下げる操作を、テコの原理を利用することによって小さな力で行うことができるようにする技術について記載されている。
特許文献１の液剤吐出器付きキャップは、容器本体の口頸部に装着されるキャップ本体と、キャップ本体の後端から立設されている柱状支持部と、ヘッド部を押し下げるための操作を受け付ける押し下げ部（押し下げ板）と、を備えている。
押し下げ部は、平面形状が前後方向に長い長方形をなしており、押し下げ部の後端は、薄肉ヒンジを介して、柱状支持部の上端部に接続されている。
ヘッド部は、ヘッド本体部と、ヘッド本体部から前方に突出しているノズル部と、を含んでいる。ヘッド部は、キャップ本体に対して上下動可能に、キャップ本体により保持されており、ヘッド本体部は、押し下げ部の長手方向における中央部の下側に配置されている。
そして、押し下げ部の前端側が下がるように薄肉ヒンジを支点として押し下げ部を押し下げる操作を行うことによって、押し下げ部を介してヘッド本体部を押し下げて、ノズル部の先端の吐出口から液剤を吐出できるようになっている。
【先行技術文献】
【特許文献】
【０００３】
【特許文献１】実開平５−７３５９号公報
【発明の概要】
【発明が解決しようとする課題】
【０００４】
しかしながら、ヘッド本体部を覆っていてヘッド本体部を押し下げる押し下げ部（カバー部）の形状によっては、カバー部が吐出口を覆い隠してしまい、吐出口の位置が分かりにくくなる場合がある。
その一方で、カバー部が吐出口を覆い隠してしまうことを避けるためにノズル部を長尺に形成すると、ノズル部に残留する液剤が吐出口から垂れやすくなる（いわゆる液だれが発生しやすくなる）。
【０００５】
本発明は、上記の課題に鑑みなされたものであり、カバー部により吐出口が覆い隠されてしまうことを抑制しつつ、吐出口からの液だれも抑制することが可能な構造の液剤吐出容器、液剤吐出器付きキャップ及び液剤吐出容器詰め品に関する。
【課題を解決するための手段】
【０００６】
本発明は、液剤を貯留する容器本体と、前記容器本体に対して相対的に押し下げられることにより吐出口から前記液剤を吐出するヘッド部と、前記容器本体に装着されるとともに、前記ヘッド部を上下動可能に保持している装着部と、前記装着部に対して揺動可能に軸支部において軸支されているとともに前記ヘッド部を上方から覆っているカバー部と、を備える液剤吐出容器であって、平面視において前記軸支部を基準として前記カバー部の揺動先端側が前方であり、前記ヘッド部は、ヘッド本体部と、前記ヘッド本体部から前方に突出し先端部に前記吐出口が形成されているノズル部と、を含み、当該液剤吐出容器は、前記カバー部が押下操作により前記軸支部を支点として前記装着部に対して揺動するのに連動して、前記ノズル部を前記ヘッド本体部に対して相対的に前進させる前進機構を更に備えている液剤吐出容器を提供するものである。
【０００７】
また、本発明は、液剤を貯留する容器本体に対して相対的に押し下げられることにより吐出口から前記液剤を吐出するヘッド部と、前記容器本体に装着されるとともに、前記ヘッド部を上下動可能に保持している装着部と、前記装着部に対して揺動可能に軸支部において軸支されているとともに前記ヘッド部を上方から覆っているカバー部と、を備える液剤吐出器付きキャップであって、平面視において前記軸支部を基準として前記カバー部の揺動先端側を前方とすると、前記ヘッド部は、ヘッド本体部と、前記ヘッド本体部から前方に突出し先端部に前記吐出口が形成されているノズル部と、を含み、当該液剤吐出器付きキャップは、前記カバー部が押下操作により前記軸支部を支点として前記装着部に対して揺動するのに連動して、前記ノズル部を前記ヘッド本体部に対して相対的に前進させる前進機構を更に備えている液剤吐出器付きキャップを提供するものである。
【０００８】
また、本発明は、本発明の液剤吐出容器と、前記容器本体に充填された前記液剤と、を備える液剤吐出容器詰め品を提供するものである。
【発明の効果】
【０００９】
本発明によれば、カバー部により吐出口が覆い隠されてしまうことを抑制しつつ、吐出口からの液だれも抑制することが可能である。
【図面の簡単な説明】
【００１０】
【図１】実施形態に係る液剤吐出容器詰め品の側面図である。
【図２】実施形態に係る液剤吐出器付きキャップの側面図である。
【図３】実施形態に係る液剤吐出器付きキャップを示す図であり、このうち（ａ）は平面図、（ｂ）は液剤吐出器付きキャップの上部の背面図である。
【図４】実施形態に係る液剤吐出器付きキャップの上部を示す図であり、このうち（ａ）は側面図、（ｂ）は側断面図である。
【図５】実施形態に係る液剤吐出器付きキャップの上部を示す図であり、このうち（ａ）は前方からの斜視図、（ｂ）は後方からの斜視断面図である。
【図６】実施形態に係る液剤吐出器付きキャップの動作を示す図であり、このうち（ａ）は液剤吐出器付きキャップの上部の側面図、（ｂ）は液剤吐出器付きキャップの上部の側断面図である。
【図７】実施形態に係る液剤吐出器付きキャップの動作を示す図であり、このうち（ａ）は液剤吐出器付きキャップの上部の側面図、（ｂ）は液剤吐出器付きキャップの上部の側断面図である。
【発明を実施するための形態】
【００１１】
以下、本発明の実施形態について、図面を用いて説明する。なお、すべての図面において、同様の構成要素には同一の符号を付し、重複する説明は適宜に省略する。
【００１２】
図１ないしは図７に示すように、本実施形態に係る液剤吐出容器１００は、液剤１５０を貯留する容器本体１０と、容器本体１０に対して相対的に押し下げられることにより吐出口４１から液剤１５０を吐出するヘッド部３０と、容器本体１０に装着されるとともにヘッド部３０を上下動可能に保持している装着部５２と、装着部５２に対して揺動可能に軸支部（例えば軸部２２と軸支凹部５４ａとにより構成される）において軸支されているとともにヘッド部３０を上方から覆っているカバー部２０と、を備えている。
ここで、平面視において軸支部を基準としてカバー部２０の揺動先端側を前方とする。ヘッド部３０は、ヘッド本体部３１と、ヘッド本体部３１から前方に突出し先端部に吐出口４１が形成されているノズル部４０と、を含んでいる。
液剤吐出容器１００は、カバー部２０が押下操作により軸支部を支点として装着部５２に対して揺動するのに連動して、ノズル部４０をヘッド本体部３１に対して相対的に前進させる前進機構（例えばガイド溝２７ｂの一部分により構成された前進力付与面と前進力受け突起部４６により構成される）を更に備えている。
よって、カバー部２０を押下操作することによりノズル部４０が前進するため、ノズル部４０の先端部の吐出口４１からの液だれが抑制されるようノズル部４０を短く形成しても、カバー部２０によりノズル部４０の先端の吐出口４１が覆い隠されてしまうことを抑制することができる。
【００１３】
カバー部２０とヘッド部３０とは、カバー部２０からヘッド部３０に対して押下力を伝達する作用部（例えば突起部３３と作用面２９ａとにより構成される）であってカバー部２０の揺動先端部と軸支部との間に位置する作用部において相互に連結されている。
カバー部２０が押下操作されることにより、カバー部２０が軸支部を支点として装着部５２に対して揺動しながら、作用部においてカバー部２０からヘッド部３０に押下力が伝達されて、ヘッド部３０が装着部５２及び容器本体１０に対して相対的に押し下げられるように、液剤吐出容器１００は構成されている。
【００１４】
ここで、図１、図２、図３（ａ）、図３（ｂ）、図４（ａ）、図４（ｂ）、図５（ａ）及び図５（ｂ）に示す状態は、カバー部２０及びヘッド部３０が押し下げられていない通常時の状態（常態）である。
一方、図７（ａ）及び図７（ｂ）に示す状態は、カバー部２０及びヘッド部３０が下限位置まで押し下げられた状態（以下、単に押下状態という場合がある）である。
また、図６（ａ）及び図６（ｂ）に示す状態は、常態と押下状態との中間の状態である。
【００１５】
また、本実施形態に係る液剤吐出容器詰め品２００は、本実施形態に係る液剤吐出容器１００と、容器本体１０に充填された液剤１５０と、を備えて構成されている。
【００１６】
本実施形態では、液剤１５０として、泡状にして吐出されるものを例示する。このような液剤としては、ハンドソープを代表例として挙げることができるが、これに限られず、洗顔料、クレンジング剤、食器用洗剤、整髪料、ボディソープ、髭剃り用クリーム、ファンデーションや美容液等の肌用化粧料、染毛剤、消毒薬など、泡状で用いられる種々のものを例示することができる。
なお、本発明における液剤１５０としては、泡状にして吐出されるものに限られず、流動性の液剤のまま吐出されるものも含まれ、そのような液剤１５０としては、ハンドソープ、洗顔料、クレンジング剤、食器用洗剤、整髪料、ボディソープ、髭剃り用ジェル、ファンデーションや美容液等の肌用化粧料、染毛剤、消毒薬などを例示することができる。
【００１７】
容器本体１０には、常圧で、または加圧されて、液剤１５０が貯留される。液剤吐出容器１００は、常圧で貯留された液剤１５０を空気と接触させることにより、または加圧下で貯留された液剤１５０を吐出時に大気圧に解放させることにより、液剤１５０を泡状に変化させる。本明細書では、泡状の液剤１５０を泡体と呼称して、容器本体１０に貯留されている非泡状の液剤１５０と区別する。
液剤吐出容器１００は、例えば、機械式のポンプ容器であり、カバー部２０を介して間接的にヘッド部３０を押下操作することにより、液剤１５０を泡体として吐出する。
ただし、本実施形態とは異なり、ボンベ等に貯留された高圧ガスなどを用いて液剤１５０（泡体）を吐出するように、液剤吐出容器が構成されていても良い。
【００１８】
容器本体１０の形状は特に限定されないが、例えば、図１に示すように、容器本体１０は、筒状の胴部１１と、胴部１１の上側に連接されていて上方に向けて内腔の平断面積が縮小する肩部１２と、肩部１２の上側に連接されている円筒状の口頸部１３と、胴部１１の下端を閉塞している底部１４と、を有する形状となっている。容器本体１０の材料は特に限定されないが、容器本体１０は、例えば、合成樹脂により成形されている。口頸部１３の上端には開口が形成されている。
【００１９】
また、本実施形態に係る液剤吐出器付きキャップ５０は、液剤吐出容器１００の構成のうち容器本体１０を除く部分により構成されている。
すなわち、液剤吐出器付きキャップ５０は、液剤１５０を貯留する容器本体１０に対して相対的に押し下げられることにより吐出口４１から液剤１５０を吐出するヘッド部３０と、容器本体１０に装着されるとともにヘッド部３０を上下動可能に保持している装着部５２と、装着部５２に対して揺動可能に軸支部において軸支されているとともにヘッド部３０を上方から覆っているカバー部２０と、前進機構と、を備えている。
【００２０】
装着部５２は、例えば螺合等の止着方法によって口頸部１３に対して着脱可能に装着されており、これにより、口頸部１３には、装着部５２、ヘッド部３０及びカバー部２０を含む液剤吐出器付きキャップ５０の全体が装着されている。口頸部１３に液剤吐出器付きキャップ５０が装着されることにより、液剤吐出器付きキャップ５０によって口頸部１３の開口が閉塞されている。
【００２１】
装着部５２は、内周面にねじ山が形成された筒状部と、筒状部の上端を当該上端の中央部を除いて閉塞している天面部と、を有している。
液剤吐出器付きキャップ５０は、更に、装着部５２の天面部から上方に向けて突出している筒状の中間筒５３を備えている。
【００２２】
本明細書では、図１及び図２の左方向を前方、右方向を後方と称する。また、図１及び図２の紙面の奥側方向を左方、手前側方向を右方と称する。なお、軸支部の軸方向は左右方向となっている。
【００２３】
ヘッド本体部３１は、中間筒５３の軸方向（つま上下方向に）に中間筒５３に対して相対移動可能に、中間筒５３によって保持されている。ヘッド本体部３１は、例えば、中間筒５３の外周面に沿って配置されている外筒部３２と、中間筒５３の内周面に沿って配置されている内筒部３４（図４（ｂ））と、を有する二重筒構造となっている。中間筒５３、外筒部３２及び内筒部３４の軸方向がそれぞれ上下方向となっており、ヘッド本体部３１は中間筒５３により上下方向にガイドされている。
【００２４】
ヘッド部３０がカバー部２０により押し下げられていない通常の状態（常態）においては、図２に示すバネ体５８の作用により、中間筒５３に対するヘッド部３０の上下方向位置が上限位置となる（図１、図２、図４（ａ）、（ｂ）等）。
一方、ユーザーがカバー部２０に対して押下操作を行うことにより、ヘッド部３０はカバー部２０によって下方に押されることによりバネ体５８の付勢に抗して押し下げられる。その結果、図７（ａ）及び（ｂ）に示すように、外筒部３２が中間筒５３に対して相対的に下降して外筒部３２が装着部５２に近づき、例えば、外筒部３２により中間筒５３が覆われた状態となる。
カバー部２０に対する押下操作が解除されると、ヘッド部３０は、バネ体５８の付勢に従って上昇し、常態に復帰する。
【００２５】
図２に示すように、液剤吐出器付きキャップ５０は、ヘッド部３０、中間筒５３、装着部５２及びバネ体５８の他に、ピストン５５、ハウジング５６、吸引管５７及び泡生成部５１を備えている。
ハウジング５６は、ピストン５５及びバネ体５８を収容しているとともに、中間筒５３、内筒部３４、及びノズル部４０の内部を介して吐出口４１と連通している。
吸引管５７は、容器本体１０内の液剤１５０を吸い上げる管であり、ハウジング５６の内部と連通しているとともに、ハウジング５６から下方に垂下している。
液剤吐出器付きキャップ５０が口頸部１３に装着された状態で、ハウジング５６及び吸引管５７は容器本体１０の内部に位置する。
ピストン５５は、ハウジング５６内において上下方向に往復動が可能となっている。ピストン５５の下端には球状の弁体５９が形成されている。弁体５９は、ハウジング５６および吸引管５７に貯留された液剤１５０の流下を抑止する。ユーザーがカバー部２０を押し下げることによってヘッド部３０が押し下げられると、ピストン５５によりその下端の弁体５９の上昇（開放）が規制された状態で、ピストン５５はハウジング５６の内部の空気圧を上昇させる。ピストン５５には、ハウジング５６とヘッド部３０とを連通させる小孔の液流路（不図示）が設けられている。液流路の開口面積は十分に小さいため、ヘッド部３０を押し下げることによってハウジング５６の空気圧が上昇し、その後に液剤１５０はハウジング５６からヘッド部３０に押し上げられる。ヘッド部３０には、外部と連通する空気流路（不図示）が設けられている。
液剤吐出器付きキャップ５０の内部には液剤１５０の流路上に泡生成部５１が設けられている。泡生成部５１では、液剤１５０に対して空気が吹き付けられることにより、液剤１５０が粗い泡になる。この粗い泡が泡生成部５１における後段部分に配置されたメッシュを通過することにより、きめ細かく均一な泡体となる。そして、この泡体が、内筒部３４の内部から液剤供給孔３６及び導入孔４２をこの順に介してノズル部４０内に導入され、ノズル部４０を介して吐出口４１から吐出される。
カバー部２０の押下操作が解除されると、バネ体５８が弾性復帰することによってピストン５５が上方位置に復帰する。これによりハウジング５６の内部は低圧となり、弁体５９が開放されて新たな液剤１５０が吸引管５７を介してハウジング５６に吸い上げられる。なお、空気流路を通じて液剤吐出器付きキャップ５０の内部に外部の空気が取り込まれることによって液剤吐出器付きキャップ５０の内部は大気圧に維持される。
なお、ここで説明した液剤吐出器付きキャップ５０の構造および動作は一例であり、その他の広く知られている構造のものを本実施形態に適用しても何ら差し支えが無い。
【００２６】
カバー部２０は、例えば、ヘッド部３０の上方に位置する頂部２１ａと、ヘッド部３０の側方に位置していてそれぞれ前後方向に延在する一対の側壁部２１ｂ、２１ｃと、を含み、軸支部の軸方向に対して平行で鉛直な断面において上に凸に湾曲している。
このため、ユーザーは、カバー部２０を手で包み込むようにしてカバー部２０を押下操作することができる。よって、カバー部２０に対する押下操作を、ぐらつきを抑制して安定的に行うことが容易となる。
すなわち、テコの原理を利用してヘッド部３０を押し下げる操作をより安定的に行うことが可能である。
【００２７】
ここで、一対の側壁部２１ｂ、２１ｃの下端は、ヘッド本体部３１の上面よりも下方に位置していることが好ましく、このようにすることによって、カバー部２０を押下操作する際に、カバー部２０とヘッド本体部３１との間に指を挟んでしまうことが抑制される。
ただし、一対の側壁部２１ｂ、２１ｃの下端は、ヘッド本体部３１の上面と同じ高さに位置していたり、或いは、ヘッド本体部３１の上面よりも上方に位置していたりしても良い。
【００２８】
より好ましくは、図４（ａ）、図６（ａ）及び図７（ａ）に示すように、液剤吐出器付きキャップ５０を軸支部の軸方向に視た側面視において、カバー部２０は、ヘッド本体部３１とカバー部２０との間の間隙６１（高さ方向における口頸部１３とカバー部２０との間隙）の全体を覆っている。これにより、カバー部２０を押下操作する際に、カバー部２０とヘッド本体部３１との間に指を挟んでしまうことが更に好適に抑制されている。
【００２９】
図３（ａ）及び（ｂ）に示すように、一対の側壁部２１ｂ、２１ｃの各々は、鉛直に起立している部分を含んでいる。このため、カバー部が例えば傘型などに形成されている場合と比べて、カバー部２０の押下操作の際におけるぐらつきを助長するモーメントが作用しにくくなるので、より安定的にカバー部２０を鉛直下方に押下することができる。
【００３０】
より詳細には、カバー部２０は（カバー本体２１は）、上に凸のドーム状に形成されている。このため、カバー部２０を手で包み込むようにしてカバー部２０を押下する操作をより容易に行うことができる。
なお、カバー本体２１には、常態において前側下方を向く開口２０ａ（図４（ｂ）参照）が形成されている。更に、カバー部２０の前部（カバー本体２１の前部）には、常態において前側上方を向く前側開口２０ｃ（切欠形状部）が形成されている。前側開口２０ｃの形状は特に限定されないが、一例として、放物線形状とされている（図３（ａ）参照）。
カバー本体２１は、ヘッド部３０の後方（ヘッド本体部３１の後方）を覆う後壁部２１ｅを更に含んでいる。
【００３１】
液剤吐出器付きキャップ５０は、更に、装着部５２の後部上面から立設された柱状の支持部５４を備えている。支持部５４は、例えば、中間筒５３よりも後方に配置されている。
図３（ｂ）及び図４（ｂ）に示すように、支持部５４は、カバー部２０を軸支するためのものであり、例えば、支持部５４の上端部には、カバー部２０を軸支する軸支凹部５４ａが形成されている。
一方、カバー部２０の後端下部には、軸支凹部５４ａに嵌め込まれることによってカバー部２０を支持部５４に対して揺動可能に軸支させる軸部２２と、軸部２２を支持している支持部２３と、が形成されている。
より詳細には、カバー部２０の後端下部には、前方に向けて窪んだ凹部２４が形成されている。凹部２４は、下向きの内面を上端部に有しており、支持部２３は、この凹部２４の下向きの内面から下方に突出し、その突出方向先端部において軸部２２を支持している。
軸部２２は、軸方向がカバー部２０の幅方向を向く丸棒状の部分であり、カバー部２０の幅方向における寸法が支持部２３よりも大きく設定されている。
一方、軸支凹部５４ａは、軸部２２が嵌め込まれることによって軸部２２をその軸周りに回転可能に軸受けしている。
こうして、カバー部２０は、軸部２２と軸支凹部５４ａとにより構成される軸支部を介して支持部５４、ひいては装着部５２に対して揺動可能に軸支されている。
なお、軸支部の高さ位置は、常態において、例えば、図４（ａ）及び（ｂ）に示すように、ヘッド本体部３１の上端部よりも低い位置となっており、好ましくは、ヘッド本体部３１の下端（外筒部３２の下端）と同等の高さ位置となっている。
【００３２】
上記のように、カバー部２０とヘッド部３０とは、作用部において相互に連結されている。
作用部は、例えば、ヘッド部３０のヘッド本体部３１の外筒部３２の側面から側方に突出した状態に形成されている突起部３３と、カバー部２０のカバー本体２１の内面に形成されている作用面２９ａと、によって構成されている。
より詳細には、外筒部３２の左側の側面には、左方に向けて水平に突出する円柱状の突起部３３が形成され、外筒部３２の右側の側面には、右方に向けて水平に突出する円柱状の突起部３３が形成されている。
一方、カバー本体２１の内面において、左右の突起部３３とそれぞれ対向する部位には、それぞれ突起部３３と係合する作用面２９ａが形成されている。より詳細には、カバー本体２１の左右の内面には、カバー本体２１の肉厚を部分的に厚肉にする厚肉部２５が形成されており、厚肉部２５には、カバー本体２１の内方側に向けて開口している凹部２９が形成されている。作用面２９ａは、凹部２９の上側内面（つまり下向きの面）により構成されている。
したがって、作用部は、ヘッド部３０の側面（側方）に配置されている。
【００３３】
カバー部２０が押下操作されることにより、図５、図６及び図７に示すように、カバー部２０が軸支部を支点として揺動しながら、作用部においてカバー部２０からヘッド部３０に押下力が伝達されて、ヘッド部３０が装着部５２に対して相対的に押し下げられる。
このとき、作用面２９ａは、突起部３３に対して摺動しながら、突起部３３に対して相対的に徐々に前方に向けて弧状に移動する。このように作用面２９ａが移動する過程で、作用面２９ａは突起部３３を下方に押し下げる。
【００３４】
なお、ここで説明した例とは逆に、突起部３３がカバー本体２１の内面に形成されているとともに、作用面２９ａ（例えば凹部２９）がヘッド部３０の外面に形成されていても良い。この場合、作用面２９ａは、突起部３３に対して摺動しながら、突起部３３により下方に押し下げられる。
また、突起部３３の突出方向は、水平方向であることが好ましいが、水平方向成分を持つ方向であれば、水平方向以外の方向であっても良い。
すなわち、作用部は、ヘッド部３０又はカバー部２０の一方から水平方向成分を持つ方向に突出した状態に形成されている突起部３３と、ヘッド部３０又はカバー部２０の他方に形成され、突起部３３に対して摺動しながら突起部３３を下方に押し下げるか又は突起部３３により下方に押し下げられる作用面２９ａと、を含む。
【００３５】
また、図４（ａ）、図６（ａ）及び図７（ａ）に示すように、液剤吐出器付きキャップ５０を軸支部の軸方向に視た側面視（液剤吐出容器１００を軸支部の軸方向に視た側面視でもある）において、カバー部２０は作用部を覆っている。これにより、カバー部２０を押下操作する際に、作用部においてカバー部２０とヘッド部３０との間に指を挟んでしまうことが抑制されている。
【００３６】
なお、作用部の配置は、カバー部２０の揺動先端部と軸支部との間に作用部が位置している限りにおいて、特に限定されない。作用部がこのような配置となっていることにより、カバー部２０において作用部よりも揺動先端側の部分を押下することによって、テコの原理を利用して、ヘッド部３０を押し下げることができる。
例えば、作用部が軸支部と揺動先端部とのちょうど中間位置に配置されている場合には、カバー部２０の揺動先端部を押下することによって、直にヘッド部３０を押下する場合と比べておよそ１／２の大きさの力でヘッド部３０を押し下げることができる。
【００３７】
液剤吐出容器１００は、更に、ヘッド部３０に設けられ、ノズル部４０を進退可能に保持しているノズル保持部３５を備えている。ノズル部４０は、進退する際にノズル保持部３５に対して摺動するようになっている。
より詳細には、ノズル部４０は中空の筒状に形成されており、ノズル保持部３５は、ノズル部４０を軸方向に進退可能に保持する中空の鞘状に形成されている。例えば、ノズル部４０及びノズル保持部３５はそれぞれ円筒状に形成され、ノズル保持部３５の内部にノズル部４０が挿入されている。
例えば、ノズル保持部３５は、ヘッド本体部３１の上側に配置されている。また、ノズル保持部３５は、例えば、ヘッド本体部３１と一体形成されている。例えば、ノズル保持部３５の前部は、ヘッド本体部３１の上面よりも前方に突出している。
また、ノズル部４０の前部は、ノズル保持部３５の前端よりも前方に突出している。
なお、一例として、ノズル部４０及びノズル保持部３５の各々の軸方向は水平に配置されている。ただし、ノズル部４０及びノズル保持部３５は、水平面に対して傾斜して配置されていても良い（例えば、前方に向けて下り傾斜する姿勢に配置されているなど）。
【００３８】
ノズル保持部３５には、液剤１５０をヘッド本体部３１側からノズル部４０側に供給する液剤供給孔３６（図４（ｂ））が形成されている。より詳細には、液剤供給孔３６は、ヘッド本体部３１の内筒部３４の内部からノズル部４０側に液剤１５０を供給するものである。
ノズル部４０には、液剤供給孔３６からノズル部４０内に液剤１５０を導入させる導入孔４２（図４（ｂ））が形成されている。
ノズル部４０の進退方向でのノズル部４０とノズル保持部３５との相対位置にかかわらず、液剤供給孔３６と導入孔４２とが相互に連通状態に維持されるようになっている。
液剤供給孔３６は、例えば、ヘッド本体部３１の上端部（天面部）を上下に貫通して形成されている。なお、ヘッド本体部３１の天面部は、液剤供給孔３６を除いて閉塞されている。
導入孔４２は、液剤供給孔３６よりもノズル部４０の進退方向における寸法が大きく、より詳細には、ノズル部４０の進退方向における導入孔４２の寸法は、当該進退方向におけるノズル部４０の可動距離と、当該進退方向における液剤供給孔３６の寸法と、の合計の長さ以上の寸法に設定されている。
導入孔４２は、例えば、ノズル部４０の後部における下部に配置されており、ノズル部４０の内部空間をノズル部４０の下方の空間と連通させることが可能となっている。
ノズル部４０の後端部は、後端閉塞部４５によって閉塞されている。ノズル部４０の内部空間は、導入孔４２から吐出口４１に亘って連通している。
【００３９】
また、液剤供給孔３６及び導入孔４２の前方と、液剤供給孔３６及び導入孔４２の後方との各々において、ノズル保持部３５の内周面とノズル部４０の外周面とがノズル部４０の周方向において周回状に密着している。
すなわち、液剤供給孔３６及び導入孔４２の前方に位置する前側シール部４３において、ノズル保持部３５の内周面とノズル部４０の外周面とがノズル部４０の周方向において周回状に密着している。同様に、液剤供給孔３６及び導入孔４２の後方に位置する後側シール部４４において、ノズル保持部３５の内周面とノズル部４０の外周面とがノズル部４０の周方向において周回状に密着している。
これにより、ノズル部４０とノズル保持部３５との隙間からの液剤１５０の漏出が抑制されている。
なお、ノズル部４０の進退方向でのノズル部４０とノズル保持部３５との相対位置にかかわらず、前側シール部４３及び後側シール部４４の各々において、ノズル保持部３５の内周面とノズル部４０の外周面とがノズル部４０の周方向において周回状に密着する。
【００４０】
更に、ノズル保持部３５の後端部には、ノズル部４０が前進したときにノズル部４０よりも後方で且つノズル保持部３５の内部の領域に外気を導入するための開口３７が形成されている。これにより、ノズル部４０が前進したときに、ノズル部４０よりも後方で且つノズル保持部３５の内部の領域が負圧となることを抑制できるため、ノズル部４０を軽い力で前進させることが可能となる。
【００４１】
ここで、上述の前側開口２０ｃの後方、且つ作用部よりも前方におけるカバー本体２１の左右の内面には、それぞれ補強リブ２７が設けられている。この一対の補強リブ２７によって、前側開口２０ｃの開口面積が狭められている。なお、カバー部２０は、この一対の補強リブ２７とカバー本体２１とを含んで構成されている。これら補強リブ２７は、下部ほど前方に位置するように傾斜しているとともに、左右にも延在している。なお、一対の補強リブ２７は、互いに軸支部から等距離に配置されている。
常態において、補強リブ２７の下端位置は、例えば、ノズル部４０の上端位置よりも下方となっている。一対の補強リブ２７どうしの間隙は、当該間隙におけるノズル部４０及びノズル保持部３５の移動（相対移動）を許容させる前側スリット７１を構成している。一対の補強リブ２７は、例えば、平行に対向しており、前側スリット７１は平面視又は正面視において直線状に形成されている（図３（ａ）参照）。ノズル部４０は、前側スリット７１を介して前方に突出している。
ただし、一対の補強リブ２７の代わりに、１枚の補強リブがカバー本体２１に設けられているとともに、前側スリット７１の代わりに、ノズル部４０を前方に突出させる開口が当該１枚の補強リブに形成されていても良い。
すなわち、カバー部２０の前部には、ノズル部４０を前方に突出させるスリット（前側スリット７１）又は開口が形成されている。
【００４２】
前進機構は、例えば、ノズル部４０の側面から水平方向成分を持つ方向に突出した状態に形成されている前進力受け突起部４６と、カバー部２０に形成されている前進力付与面と、を含んで構成されている。
より詳細には、ノズル部４０の左側の側面には、左方に向けて水平に突出する円柱状の前進力受け突起部４６が形成され、ノズル部４０の右側の側面には、右方に向けて水平に突出する円柱状の前進力受け突起部４６が形成されている。
また、前進力付与面は、一対の補強リブ２７の互いの対向面の長手方向に沿ってそれぞれ弧状に形成されているガイド溝２７ｂの内面により構成されている。
ノズル部４０の左右両側の前進力受け突起部４６は、それぞれ対応する側の補強リブ２７のガイド溝２７ｂ内に配置されており、カバー部２０が押し下げられる際に、ガイド溝２７ｂの長手方向に沿って、ガイド溝２７ｂ内を移動する。
ガイド溝２７ｂの内面のうち、前方を向く面（つまり後側の面）が、前進力付与面を構成している。前進力付与面は、カバー部２０が押し下げられる際に前進力受け突起部４６に対して摺動しながら前進力受け突起部４６を前進させる。
ノズル部４０は、ノズル保持部３５によって前後に移動可能に保持されているため、前進力付与面によって前進力受け突起部４６が前進させられることにより、ノズル部４０も前進する。
【００４３】
ここで、一対の補強リブ２７の各々は、例えば、上方に向かうにつれて、軸支部からの距離が遠くなる弧状に湾曲している。したがって、前進力付与面は、当該前進力付与面における前進力受け突起部４６との接触部と軸支部との距離が、カバー部２０の押し下げ量が大きくなるほど長くなる弧状に形成されている。
これにより、前進力付与面が直線状に形成されている場合と比べて、カバー部２０を押下した際に前進力受け突起部４６が前進力付与面に対してスムーズに摺動するようになっている。
【００４４】
なお、液剤吐出器付きキャップ５０は、例えば、左右対称に形成されており、ノズル部４０及びノズル保持部３５は、平面視において、カバー部２０の幅方向（左右方向）における中央部に配置されている（図３（ａ））。
【００４５】
次に、動作を説明する。
液剤吐出容器１００から泡体を吐出するためには、カバー部２０に対して押下操作を行う。これにより、作用部を介してカバー部２０によりヘッド部３０が押下され、ヘッド部３０はバネ体５８の付勢に抗して押し下げられる。ヘッド部３０が押し下げられることにより、ノズル部４０の吐出口４１から泡体が吐出される。
【００４６】
この際に、カバー部２０は、軸支部を支点として揺動し、徐々に前傾する（図４、図６、図７参照）。一例として、図７に示すように、押下状態では、カバー部２０の下縁が前方に向けて下り傾斜する状態となるまでカバー部２０が前傾するようになっている。
ここで、カバー部２０が押し下げられる際に、ガイド溝２７ｂの前進力付与面によって前進力受け突起部４６が前進させられることにより、前進力受け突起部４６が設けられているノズル部４０がノズル保持部３５によりガイドされつつ前進する。これによって、カバー部２０によりノズル部４０が覆われてしまうことが抑制される。
なお、ノズル部４０の長さは特に限定されないが、一例として、仮にノズル部４０が前進しない場合には、押下状態ではノズル部４０の先端が側面視においてカバー部２０によって覆われる程度に、ノズル部４０が短く形成されていても良い。
【００４７】
また、カバー部２０を押下する力を解除すると、ヘッド部３０はバネ体５８の付勢に従って、常態の位置まで上昇する。ヘッド部３０が上昇する際には、作用部を介してヘッド部３０がカバー部２０を押し上げる。すなわち、突起部３３が作用面２９ａを押し上げることによりカバー部２０が揺動し、カバー部２０は元の状態に復帰する。
カバー部２０が元の状態に復帰する際には、ガイド溝２７ｂの内面のうち、前進力付与面と対向する面、すなわち後側を向く面（前側の面）によって、前進力受け突起部４６が後退させられる。これにより、前進力受け突起部４６が設けられているノズル部４０がノズル保持部３５によりガイドされつつ後退する。これによって、ノズル部４０も図４に示される状態（常態）に復帰する。
【００４８】
以上のような実施形態によれば、液剤吐出容器１００は、カバー部２０が押下操作により軸支部を支点として装着部５２に対して揺動するのに連動して、ノズル部４０をヘッド本体部３１に対して相対的に前進させる前進機構を備えている。
よって、カバー部２０を押下操作することによりノズル部４０が前進するため、ノズル部４０の先端部の吐出口４１からの液だれが抑制されるようノズル部４０を短く形成しても、カバー部２０によりノズル部４０の先端の吐出口４１が覆い隠されてしまうことを抑制することができる。
【００４９】
なお、一般的な液剤吐出容器において、ノズル部の先端部の吐出口からの液だれを抑制するためにノズル部を短く形成した場合、液剤を受け取る手などが容器本体の肩部などと干渉してしまう可能性がある。
これに対し、本実施形態によれば、ノズル部４０を前進させることができるため、液剤１５０を受け取る手などが容器本体１０の肩部１２などと干渉してしまうことを抑制することができる。
【００５０】
また、テコの原理を利用してヘッド部３０を押し下げることができるため、１回の吐出操作により吐出される液剤１５０の容量が比較的多いタイプの液剤吐出容器１００においても、十分に軽い力でカバー部２０を押下することによって、ヘッド部３０を押し下げることができる。
また、本実施形態のように液剤１５０を泡体として吐出するタイプの液剤吐出容器１００では、液剤１５０をそのままの状態で吐出するタイプの液剤吐出容器と比べて液剤１５０の吐出のためのヘッド部３０の押し圧が大きくなるが、十分に軽い力でカバー部２０を押下することによって、ヘッド部３０を押し下げることが可能である。
また、液剤１５０の粘度が標準的なものよりも高粘度の場合であっても、十分軽い力でカバー部２０を押下することによって、ヘッド部３０を押し下げることができる。
【００５１】
なお、液剤吐出容器１００によれば、ノズル部４０を前進させながら吐出口４１から液剤１５０を吐出させることができるため、ノズル部４０の動作範囲と対応する直線状の範囲に亘って液剤１５０を供給することができる。例えば、液剤１５０が接着剤である場合に、ノズル部４０の動作範囲と対応する範囲に亘って液剤１５０を塗布することができる。或いは、液剤１５０が食器用洗剤などの場合に、食器洗い用のスポンジなどの上の所定範囲に亘って液剤１５０を供給することができる。
【００５２】
本発明は上述の実施形態及び各変形例に限定されるものではなく、本発明の目的が達成される限りにおける種々の変形、改良等の態様も含む。実施形態及び各変形例において説明された事項は適宜、組み合わせることが可能である。
【００５３】
液剤吐出容器１００及び液剤吐出器付きキャップ５０の各構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００５４】
上記実施形態は、以下の技術思想を包含する。
＜１＞液剤を貯留する容器本体と、前記容器本体に対して相対的に押し下げられることにより吐出口から前記液剤を吐出するヘッド部と、前記容器本体に装着されるとともに、前記ヘッド部を上下動可能に保持している装着部と、前記装着部に対して揺動可能に軸支部において軸支されているとともに前記ヘッド部を上方から覆っているカバー部と、を備える液剤吐出容器であって、平面視において前記軸支部を基準として前記カバー部の揺動先端側が前方であり、前記ヘッド部は、ヘッド本体部と、前記ヘッド本体部から前方に突出し先端部に前記吐出口が形成されているノズル部と、を含み、当該液剤吐出容器は、前記カバー部が押下操作により前記軸支部を支点として前記装着部に対して揺動するのに連動して、前記ノズル部を前記ヘッド本体部に対して相対的に前進させる前進機構を更に備えている液剤吐出容器。
＜２＞前記前進機構は、前記ノズル部の側面から水平方向成分を持つ方向に突出した状態に形成されている前進力受け突起部と、前記カバー部に形成され、前記カバー部が押し下げられる際に前記前進力受け突起部に対して摺動しながら前記前進力受け突起部を前進させる前進力付与面と、を含む＜１＞に記載の液剤吐出容器。
＜３＞前記前進力付与面は、当該前進力付与面における前記前進力受け突起部との接触部と前記軸支部との距離が、前記カバー部の押し下げ量が大きくなるほど長くなる弧状に形成されている＜２＞に記載の液剤吐出容器。
＜４＞前記ヘッド部に設けられ、前記ノズル部を進退可能に保持しているノズル保持部を更に備え、前記ノズル部は、進退する際に前記ノズル保持部に対して摺動する＜１＞から＜３＞のいずれか一項に記載の液剤吐出容器。
＜５＞前記ノズル保持部には、前記液剤を前記ヘッド本体部側から前記ノズル部側に供給する液剤供給孔が形成され、前記ノズル部には、前記液剤供給孔から当該ノズル部内に前記液剤を導入させる導入孔が形成され、前記ノズル部の進退方向での前記ノズル部と前記ノズル保持部との相対位置にかかわらず、前記液剤供給孔と前記導入孔とが相互に連通状態に維持される＜４＞に記載の液剤吐出容器。
＜６＞前記液剤供給孔及び前記導入孔の前方と、前記液剤供給孔及び前記導入孔の後方との各々において、前記ノズル保持部の内周面と前記ノズル部の外周面とが前記ノズル部の周方向において周回状に密着している＜５＞に記載の液剤吐出容器。
＜７＞前記ノズル保持部の後端部には、前記ノズル部が前進したときに前記ノズル部よりも後方で且つ前記ノズル保持部の内部の領域に外気を導入するための開口が形成されている＜４＞から＜６＞のいずれか一項に記載の液剤吐出容器。
＜８＞前記カバー部の前部には、前記ノズル部を前方に突出させるスリット又は開口が形成されている＜１＞から＜７＞のいずれか一項に記載の液剤吐出容器。
＜９＞液剤を貯留する容器本体に対して相対的に押し下げられることにより吐出口から前記液剤を吐出するヘッド部と、前記容器本体に装着されるとともに、前記ヘッド部を上下動可能に保持している装着部と、前記装着部に対して揺動可能に軸支部において軸支されているとともに前記ヘッド部を上方から覆っているカバー部と、を備える液剤吐出器付きキャップであって、平面視において前記軸支部を基準として前記カバー部の揺動先端側を前方とすると、前記ヘッド部は、ヘッド本体部と、前記ヘッド本体部から前方に突出し先端部に前記吐出口が形成されているノズル部と、を含み、当該液剤吐出器付きキャップは、前記カバー部が押下操作により前記軸支部を支点として前記装着部に対して揺動するのに連動して、前記ノズル部を前記ヘッド本体部に対して相対的に前進させる前進機構を更に備えている液剤吐出器付きキャップ。
＜１０＞＜１＞から＜８＞のいずれか一項に記載の液剤吐出容器と、前記容器本体に充填された前記液剤と、を備える液剤吐出容器詰め品。
【符号の説明】
【００５５】
１０  容器本体
１１  胴部
１２  肩部
１３  口頸部
１４  底部
２０  カバー部
２０ａ  開口
２０ｃ  前側開口
２１  カバー本体
２１ａ  頂部
２１ｂ  側壁部
２１ｃ  側壁部
２１ｅ  後壁部
２２  軸部
２３  支持部
２４  凹部
２５  厚肉部
２７  補強リブ
２７ｂ  ガイド溝（前進機構）
２９  凹部
２９ａ  作用面（作用部）
３０  ヘッド部
３１  ヘッド本体部
３２  外筒部
３３  突起部（作用部）
３４  内筒部
３５  ノズル保持部
３６  液剤供給孔
３７  開口
４０  ノズル部
４１  吐出口
４２  導入孔
４３  前側シール部
４４  後側シール部
４５  後端閉塞部
４６  前進力受け突起部（前進機構）
５０  液剤吐出器付きキャップ
５１  泡生成部
５２  装着部
５３  中間筒
５４  支持部
５４ａ  軸支凹部
５５  ピストン
５６  ハウジング
５７  吸引管
５８  バネ体
５９  弁体
６１  間隙
７１  前側スリット
１００  液剤吐出容器
１５０  液剤
２００  液剤吐出容器詰め品
【図１】
2017197209.tif 000003
【図２】
2017197209.tif 000004
【図３】
2017197209.tif 000005
【図４】
2017197209.tif 000006
【図５】
2017197209.tif 000007
【図６】
2017197209.tif 000008
【図７】
2017197209.tif 000009